(57)【要約】【課題】  、コストの上昇を抑えて、向きを変えずに対面する第三者に画面を見せることができるパーソナルコンピュータの提供。【解決手段】  情報を入力するキーボードを有するキーボード部と、該キーボードから入力された情報を表示する表示部を有する開閉蓋と、ヒンジと、を備え、使用時、前記キーボード部と前記開閉蓋とが、前記表示部を操作者の見易い位置に停止させ、不使用時、前記表示部と前記キーボードとが対面すると共に、前記開閉蓋が前記キーボードを覆う位置に停止させるように回転自在に前記ヒンジを介して結合されたパーソナルコンピュータにおいて、画面切替部を有し、該画面切替部は表示部とキーボード部とが略平坦となる位置に停止した場合、前記表示部の表示を該表示部の中心に対して点対称に表示するものである。【選択図】図１
2005242405.tif 000002
【特許請求の範囲】
【請求項１】
情報を入力するキーボードを有するキーボード部と、該キーボードから入力された情報を表示する表示部を有する開閉蓋と、ヒンジと、を備え、使用時、前記キーボード部と前記開閉蓋とが、前記表示部を操作者の見易い位置に停止させ、不使用時、前記表示部と前記キーボードとが対面すると共に、前記開閉蓋が前記キーボードを覆う位置に停止させるように回転自在に前記ヒンジを介して結合されたパーソナルコンピュータにおいて、
画面切替部を有し、該画面切替部は表示部とキーボード部とが略平坦となる位置に停止した場合、前記表示部の表示を該表示部の中心に対して点対称に表示するものであることを特徴とするパーソナルコンピュータ。
【請求項２】
前記画面切替部は、スイッチを有し、該スイッチは、前記表示部と前記キーボード部と略平坦となる位置に来た場合、前記画面切替部が前記表示部の表示を該表示部の中心に対して点対称に表示するものであることを特徴とする請求項１記載のパーソナルコンピュータ。
【発明の詳細な説明】
【技術分野】
【０００１】
本発明は、パーソナルコンピュータに関するものである。
【背景技術】
【０００２】
従来からのパーソナルコンピュータとしては、例えば、図３に示すものがある。このパーソナルコンピュータ１は、キーボード１７の配置された板状のキーボード部１２と、タブレットを内蔵しペン入力可能な画面１６を配置した同じく板状の表示部１３と、表示部１３の画面１６とは反対の面に小型のディスプレイ１８これらキーボード部１２と、表示部１３とを移動可能に連結している移動部材１４、１５より構成されている。この移動部材１４、１５はキーボード部１２と表示部１３とに各々取り付けられたヒンジ１４と、これらのヒンジ１４を連結している支持体１５より成るものである。そして、ヒンジ１４はキーボード部１２の面に沿って回動可能であり、且つ、前記キーボード部１２の面と支持体１５とは任意の角度をなすように回動可能に構成している。
【０００３】
このように構成されたパーソナルコンピュータ１は、図３に示すように、対面する第三者に表示を見せる場合は、表示部１３の画面１６を第三者に表示を見せることができ、操作者自身は、小型のディスプレイ１８の表示を確認することが容易となるものである。従って、操作者とプレゼンテーションされる相手が、それぞれの画面をみながら向かい合って対話することを実現するものである。
【０００４】
しかしながら、この場合のパーソナルコンピュータ１は、構成が複雑になると共に、小型のディスプレイの部材が必要となるためコストの増加につながるものであった。
【特許文献１】実登３００３５６０号公報
【発明の開示】
【発明が解決しようとする課題】
【０００５】
本願発明は、上記背景技術に鑑みて発明されたものであり、その課題は、コストの上昇を抑えて、パーソナルコンピュータの向きを変えずに対面する第三者に画面を見せることができるパーソナルコンピュータを提供することである。
【課題を解決するための手段】
【０００６】
情報を入力するキーボードを有するキーボード部と、該キーボードから入力された情報を表示する表示部を有する開閉蓋と、ヒンジと、を備え、使用時、前記キーボード部と前記開閉蓋とが、前記表示部を操作者の見易い位置に停止させ、不使用時、前記表示部と前記キーボードとが対面すると共に、前記開閉蓋が前記キーボードを覆う位置に停止させるように回転自在に前記ヒンジを介して結合されたパーソナルコンピュータにおいて、画面切替部を有し、該画面切替部は表示部とキーボード部とが略平坦となる位置に停止した場合、前記表示部の表示を該表示部の中心に対して点対称に表示するものである。
【０００７】
また、前記画面切替部は、スイッチを有し、該スイッチは、前記表示部と前記キーボード部と略平坦となる位置に来た場合、前記画面切替部が前記表示部の表示を該表示部の中心に対して点対称に表示するものである。
【発明の効果】
【０００８】
本願発明のパーソナルコンピュータにおいては、表示部がキーボード部と略平坦となる位置に来た場合、画面切替部が該表示部の表示を該表示部の中心に対して点対称に表示させることで、簡単な構成で対面する第三者に前記表示部の表示を見せることができる。
【発明を実施するための最良の形態】
【０００９】
図１及び図２は、本願の請求項１及び請求項２に対応した一実施形態であるパーソナルコンピュータ１である。このものは、キーボード部２と、開閉蓋３と、ヒンジ４と、スイッチ５と、画面切替部（図示せず）と、を備えている。
【００１０】
前記画面切替部は、表示部３ａの表示を表示部３ａの中心に対して点対称な表示に切り替えるものである。
【００１１】
キーボード部２は、ＣＰＵ等の演算処理機を内蔵すると共に、その表面に情報を入力するためのキーボード２ａと、前記画面切替部と、スイッチ５と、を備えている。そして、キーボード２ａの配置面の後方には、後述するヒンジ４が設けられており、このヒンジ４を介して開閉蓋３に接続されている。
【００１２】
開閉蓋３は、キーボード２ａから入力された情報を表示する液晶モニタである表示部３ａを有している。そして、表示部３ａの下部は、ヒンジ４を介してキーボード部２に接続されている。
【００１３】
ヒンジ４は、キーボード部２と開閉蓋３とを電気的、機械的に結合するものである。このものは、使用時、キーボード部２と開閉蓋３とが、表示部３ａを操作者の見易い位置に停止させ、不使用時、表示部３ａとキーボード２ａとが対面すると共に、開閉蓋３がキーボード２ａを覆う位置に停止させるように結合している。
【００１４】
スイッチ５は、例えば、プッシュスイッチであり、スイッチ５が押されると前記画面切替部を動作させて、表示部３ａの表示を表示部３ａの中心に対して点対称に表示し、スイッチ５が元の状態に戻れば、前記画面切替部を動作させて、表示部３ａの表示を元の状態に戻すものである。
【００１５】
このように構成されたパーソナルコンピュータ１は、操作者がパーソナルコンピュータ１を使用する場合、開閉蓋３は操作者の見易い位置に固定され使用される。
【００１６】
次に、操作者がパーソナルコンピュータ１を使用しない場合、表示部３ａとキーボード２ａとが対面すると共に、開閉蓋３がキーボード２ａを覆うように固定される。
【００１７】
次に、パーソナルコンピュータ１の表示部３ａを対面する第三者に画面を見せる場合、上記の状態より、開閉蓋３を起こして行き、キーボード部２と表示部３ａとが略平坦となる位置固定するにする。この状態にすると、図２に示すように、開閉蓋３によりスイッチ５が入り、前記画面切替部を動作させ、表示部３ａの表示を表示部３ａの中心に対して点対称に表示し、対面する第三者は、表示部３ａが見易くなる。
【００１８】
従って、このように構成された、パーソナルコンピュータ１は、その向きを変えないで、第三者に画面を見せることが出来るものである。
【００１９】
なお、ヒンジ４が、図２（ｂ）に示すように、キーボード部２の上面にスイッチ５を設け、キーボード２ａとスイッチ５の間にヒンジ４を介して開閉蓋３に接続してもよい。この場合も上述同様に、キーボード部２と表示部３ａとが略平坦となる位置に来た場合、開閉蓋３によりスイッチ５が入り、前記画面切替部を動作させ、表示部３ａの表示を表示部３ａの中心に対して点対称に表示するものである。
【図面の簡単な説明】
【００２０】
【図１】本願発明の一実施形態であるパーソナルコンピュータの斜視図である。
【図２】（ａ）同上の一部破断した側面図、（ｂ）同上の別の一部破断した側面図である。
【図３】従来のパーソナルコンピュータの斜視図である。
【符号の説明】
【００２１】
１      パーソナルコンピュータ
２      キーボード部
２ａ    キーボード
３      開閉蓋
３ａ    表示部
４      ヒンジ
５      スイッチ
【図１】
2005242405.tif 000003
【図２】
2005242405.tif 000004
【図３】
2005242405.tif 000005